(57)【要約】【課題】表示部の加速度や角度に応じて電源のオン・オフをすることができる情報処理装置および制御方法を提供する。【解決手段】本体１６と回動自在に接続されディスプレイ１１に備えられた加速度センサ１７によって検知された加速度が所定値を超えると本体１６の電源をオンおよびオフのいずれか１つを行う。【選択図】      図１
2007257535.tif 000002
【特許請求の範囲】
【請求項１】
本体と、
前記本体と回動自在に接続され、センサを備えた表示手段と、
前記センサが所定の動作を検知した場合に、前記本体の電源のオンおよびオフのいずれか１つを行う制御手段と、
を具備することを特徴とする情報処理装置。
【請求項２】
請求項１に記載の情報処理装置において、
前記センサは加速度センサであり、前記加速度センサが検出する加速度の大きさによって、前記本体の電源のオンおよびオフのいずれか１つを行うことを特徴とする情報処理装置。
【請求項３】
請求項２記載の情報処理装置において、
前記加速度センサが検出する加速度により、前記表示手段の前記本体に対する角度を検出し、所定の角度の範囲から別の所定の角度の範囲に前記表示手段が回動した場合は、前記本体の電源のオンおよびオフのいずれか１つを行うことを特徴とする情報処理装置。
【請求項４】
請求項１に記載の情報処理装置において、
前記センサは加速度センサであり、前記加速度センサが検出する加速度の大きさによって、所定のアプリケーションを起動することを特徴とする情報処理装置。
【請求項５】
請求項４記載の情報処理装置において、
前記加速度センサが検出する加速度により、前記表示手段の前記本体に対する角度を検出し、所定の角度の範囲から別の所定の角度の範囲に前記表示手段が回動した場合は、所定のアプリケーションを起動することを特徴とする情報処理装置。
【請求項６】
請求項１に記載の情報処理装置において、
前記センサは加速度センサであり、前記加速度センサが検出する加速度の大きさによって、起動しているアプリケーションのうち、アクティブなアプリケーションを切り替えることを特徴とする情報処理装置。
【請求項７】
請求項６記載の情報処理装置において、
前記加速度センサが検出する加速度により、前記表示手段の前記本体に対する角度を検出し、所定の角度の範囲から別の所定の角度の範囲に前記表示手段が回動した場合は、起動しているアプリケーションのうち、アクティブなアプリケーションを切り替えることを特徴とする情報処理装置。
【請求項８】
本体と、前記本体と回動自在に接続されセンサを備えた表示手段とを有する情報処理装置の制御方法であって、
前記センサが所定の動作を検知した場合に、前記本体の電源のオンおよびオフのいずれか１つを行うことを特徴とする制御方法。
【請求項９】
請求項８に記載の制御方法において、
前記センサは加速度センサであり、前記加速度センサが検出する加速度の大きさによって、前記本体の電源のオンおよびオフのいずれか１つを行うことを特徴とする制御方法。
【請求項１０】
請求項９記載の制御方法において、
前記加速度センサが検出する加速度により、前記表示手段の前記本体に対する角度を検出し、所定の角度の範囲から別の所定の角度の範囲に前記表示手段が回動した場合は、前記本体の電源のオンおよびオフのいずれか１つを行うことを特徴とする制御方法。
【発明の詳細な説明】
【技術分野】
【０００１】
本発明は、ノート型コンピュータの電源の制御に係り、特にディスプレイの開閉の状態に応じて電源のオン・オフを制御できる情報処理装置および制御方法に関する。
【背景技術】
【０００２】
ノート型のパーソナルコンピュータにおいて、例えば特開平９−１２０３２３号公報に開示されているように、コンピュータ本体の角度を検出し、角度によって電源のオン・オフを切り替える技術が開示されている（特許文献１参照）。
【特許文献１】特開平９−１２０３２３号公報
【発明の開示】
【発明が解決しようとする課題】
【０００３】
しかし、上述した技術では、加速度センサは機器本体部に実装されており、機器全体を傾けないとその機能が動作しない。
【０００４】
本発明の目的は、表示部の角度やスピードに応じて電源のオン・オフ等をすることができる情報処理装置および制御方法を提供することである。
【課題を解決するための手段】
【０００５】
上記目的を達成するために、本発明の一態様によれば、本体と、前記本体と回動自在に接続され、センサを備えた表示手段と、前記センサが所定の動作を検知した場合に、前記本体の電源のオンおよびオフのいずれか１つを行う制御手段と、を具備することを特徴とする情報処理装置が提供される。
【発明の効果】
【０００６】
本発明を用いることにより、表示部の角度やスピードに応じて電源のオン・オフ等をすることができる情報処理装置および制御方法を提供することができる。
【発明を実施するための最良の形態】
【０００７】
以下図面を参照して、本発明の実施形態について説明する。
【０００８】
図１には、本発明の一実施形態に係る情報処理装置の斜視図が示されている。この情報処理装置は、バッテリ駆動可能なノートブック型コンピュータ１０として実現されている。
【０００９】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１０】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、メール等の各種ショートカットボタン１８等が配置されている。また、本体１６の側面には、光学ドライブ１５等が設けられている。さらに、ディスプレイ１１の上部には、加速度センサ１７が内蔵されている。
【００１１】
図２は、コンピュータの構成を示したブロック図である。
【００１２】
コンピュータ１０は、ＣＰＵ（Central Processing Unit）２０、Root Complex２１、主メモリ２４、グラフィクスコントローラ(End Point)２３、Root Complex２１とグラフィクスコントローラ２３とを接続するPCI Express Link２２、ディスプレイ１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、ＥＣ／ＫＢＣ２７に接続された入力デバイスである、加速度センサ１７、キーボード１３、タッチパッド１４などを備えている。
【００１３】
Root Complex２１、グラフィクスコントローラ２３等は、PCI EXPRESS規格に準拠したデバイス（デバイス）である。Root Complex２１とグラフィクスコントローラ２３との間の通信は、Root Complex２１とグラフィクスコントローラ２３との間に配設されたPCI Express Link２２を介して実行される。
【００１４】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１５】
Root Complex２１は、ＣＰＵ２０のローカルバスとグラフィクスコントローラ２３との間を接続するブリッジデバイスである。また、Root Complex２１は、PCI Express Link２２を介してグラフィクスコントローラ２３との通信を実行する機能も有している。
【００１６】
グラフィクスコントローラ２３は、本コンピュータのディスプレイモニタとして使用されるディスプレイ１１を制御する表示コントローラである。
【００１７】
ＥＣ／ＫＢＣ２７は、電力管理のためのエンベデッドコントローラと、キーボード１３およびタッチパッド１４等を制御するためのキーボードコントローラとが集積された１チップマイクロコンピュータである。このＥＣ／ＫＢＣ２７は、ユーザによるパワーボタンの操作に応じて、電源コントローラと共同して、本コンピュータ１０をパワーオン／パワーオフする機能を有している。
【００１８】
次に本発明の一実施形態に係る情報処理装置の制御方法について、図３のフローチャートを参照して説明する。
【００１９】
なお、本実施形態では、ディスプレイ（以下、パネルと称す）１１を開けた状態から、パネルを閉める動作について、図３のフローチャートを参照して説明する。
【００２０】
コンピュータ１０のＣＰＵ２０は、加速度センサ１７からの情報に基づいて、パネル１１の加速度が、例えば０．５ｍ／ｓ２に達したか否かを判別する（ステップＳ１０１）。ステップＳ１０１で、ＣＰＵ２０によってパネル１１の加速度が０．５ｍ／ｓ２に達したと判別されると（ステップＳ１０１のＹＥＳ）、コンピュータ１０の本体１６の電源をオフする（ステップＳ１０２）。なお、コンピュータ１０の本体１６の電源をオフ（シャットダウン）する場合、通常は連動してディスプレイ１１の電源もオフする。また、シャットダウン以外にもスタンバイや休止状態等に移行させることも可能である。
【００２１】
次に、パネル１１を閉じた状態から、パネルを開ける動作について図４のフローチャートを参照して説明する。
【００２２】
コンピュータ１０のＥＣ／ＫＢＣ２７は、加速度センサ１７からの情報に基づいて、パネル１１の加速度が、例えば０．５ｍ／ｓ２に達したか否かを判別する（ステップＳ２０１）。ステップＳ２０１で、ＥＣ／ＫＢＣ２７によってパネル１１の加速度が０．５ｍ／ｓ２に達したと判別されると（ステップＳ２０１のＹＥＳ）、コンピュータ１０の本体１６の電源をオンする（ステップＳ２０２）。なお、コンピュータ１０の本体１６の電源をオンする場合、通常は連動してディスプレイ１１の電源もオンする。
【００２３】
なお、以上説明したように、パネル１１の加速度が所定値に達した場合に、コンピュータ１０本体１６の電源のオン・オフを行う以外にも、以下のような形態が考えられる。例えば、図５に示すように、コンピュータ１０の表示画面１２にウィンドウ１００Ａおよび１００Ｂが表示されており、ウィンドウ１００Ａがアクティブである場合、パネル１１の加速度が所定値に達した場合は、図６に示すように、ウィンドウ１００Ｂをアクティブになるように切り替える。さらには、加速度が所定値に達した場合は、所定のアプリケーションを起動するようにしてもよい。例えば、加速度が０．５ｍ／ｓ２に達した場合は、メールソフトを起動し、加速度が０．７ｍ／ｓ２に達した場合は、ブラウザを起動する。
【００２４】
次に、加速度センサにより検出した加速度によって、パネル１１と本体１６との角度を検出し、検出された角度により、コンピュータ１０本体１６の電源のオン・オフを行う形態について説明する。
【００２５】
パネル１１と本体１６との角度は、図７に示すように、パネル角度θで表される。また、パネル角度θは、加速度センサ１７の取付位置から本体１６のヒンジ部分までをｒとすると、次式で表される。
【００２６】
２πｒ＋（θ／３６０）＝ａｔ
ａ＝加速度、ｔ＝時間
ＣＰＵ２０は、加速度センサ１７からの加速度を用いて、パネル角度θを検出すると、パネル角度θに応じて、本体１６の電源のオン・オフを行う。例えば、パネル角度θが、０°から３０°の範囲でパネル１１が動いた場合は、本体１６の電源のオンする。また、例えば、パネル角度θが、９０°から３０°の範囲で動いた場合は、本体１６の電源のオフする。
【００２７】
さらに、例えば、パネル角度θが、３０°以上パネル１１が開く方向に大きくなった場合は、本体１６の電源のオンする。また、例えば、パネル角度θが、３０°以上パネル１１が閉じる方向に小さくなった場合は、本体１６の電源のオフする。
【００２８】
なお、以上説明したように、パネル１１のパネル角度θが所定値に達した場合に、コンピュータ１０本体１６の電源のオン・オフを行う以外にも、以下のような形態が考えられる。例えば、図５に示すように、コンピュータ１０の表示画面１２にウィンドウ１００Ａおよび１００Ｂが表示されており、ウィンドウ１００Ａがアクティブである場合、パネル１１のパネル角度θが所定値に達した場合は、図６に示すように、ウィンドウ１００Ｂをアクティブになるように切り替える。さらには、パネル角度θが所定値に達した場合は、所定のアプリケーションを起動するようにしてもよい。例えば、パネル角度θが６０°
に達した場合は、メールソフトを起動し、パネル角度θが１１０°に達した場合は、ブラウザを起動する。
【００２９】
以上の実施形態により、パネルの角度やスピードに応じて電源のオン・オフをすることができる。また、パネルの角度やスピードに応じて、アクティブウィンドウを切り替えたり、所定のアプリケーションを起動することができる。
【００３０】
（その他の実施形態）
次に、本発明の第２実施形態について図８、９を参照して説明する。
【００３１】
図８は、本発明の別の実施形態に係る情報処理装置であるノート型タブレットＰＣを示した斜視図である。
【００３２】
タブレットＰＣ１００は、キーボード１３０、タッチパッド１４０、および液晶方式の可動式ディスプレイ１２０との接続部であるヒンジ部６０等を備える本体１６０と、各種ボタン１８０を備えたヒンジ部６０に可動可能に接続されたディスプレイ１２０とから構成される。タブレットＰＣ１００は、ディスプレイ１２０がタッチパネルとなっており、スタイライズ８０等によってディスプレイ１２０に対して直接的に操作できる。
【００３３】
ディスプレイ１２０は、ヒンジ部６０を軸として、Ｙ軸を中心に回転可能である。また、Ｘ軸を中心として、可倒可能である。例えば、ディスプレイ１２０の表示面を上側にして可倒した場合は、図９に示すようなタブレットスタイルとなる。このようにタブレットスタイルとした場合においては、例えば、２人の利用者がディスプレイ１２０を見て利用する形態が考えられる。
【００３４】
このようなタブレットＰＣ１００を用いた場合においても、上述した実施形態で説明したように、パネルの角度やスピードに応じて電源のオン・オフをすることができる。また、パネルの角度やスピードに応じて、アクティブウィンドウを切り替えたり、所定のアプリケーションを起動することができ、上述した実施形態と同様の効果を奏することができる。
【００３５】
同様に、本実施形態に示したデバイス以外にも、パネル１１と本体１６との角度により操作が制限されるデバイスが搭載されている場合には、そのデバイスに対しても同様に適用することで本発明の効果を享受できる。
【００３６】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３７】
【図１】本発明の一実施形態に係る情報処理装置であるノートブック型コンピュータを示した斜視図。
【図２】本発明の一実施形態に係る情報処理装置であるノートブック型コンピュータの構成を示したブロック図。
【図３】本発明の一実施形態に係る情報処理装置の制御方法について説明したフローチャート。
【図４】本発明の一実施形態に係る情報処理装置の制御方法について説明したフローチャート。
【図５】アクティブウィンドウの切り替えについて説明した模式図。
【図６】アクティブウィンドウの切り替えについて説明した模式図。
【図７】本体に対するパネルの角度を示した模式図。
【図８】本発明のその他の実施形態に係る情報処理装置であるノート型タブレットＰＣを示した斜視図。
【図９】本発明のその他の実施形態に係る情報処理装置であるノート型タブレットＰＣのタブレットスタイルを示した斜視図。
【符号の説明】
【００３８】
１０…コンピュータ、１１…ディスプレイ、１２…表示画面、１３…キーボード、１４…タッチパッド、１６…本体、１７…加速度センサ、１８…ショートカットボタン、２０…ＣＰＵ、２３…グラフィクスコントローラ、２４…主メモリ、２５…ＨＤＤ。
【図１】
2007257535.tif 000003
【図２】
2007257535.tif 000004
【図３】
2007257535.tif 000005
【図４】
2007257535.tif 000006
【図５】
2007257535.tif 000007
【図６】
2007257535.tif 000008
【図７】
2007257535.tif 000009
【図８】
2007257535.tif 000010
【図９】
2007257535.tif 000011